(57)【要約】【課題】デジタル信号入力時に、同時に他の符号化方式でエンコードを実施して記録しておけば、外部記録媒体への高速記録が可能となる。【解決手段】デジタル符号化されたＡＶ信号入力時に、入力データのデコードを行って符号化情報及び同期情報を抜き出し、デコードと同時に前記抜き出した符号化情報からオーディオデコードデータの再エンコードを行い、前記抜き出した同期情報を付与することにより、再エンコードデータを作成する。【選択図】  図６
2004280994.tif 000002
【特許請求の範囲】
【請求項１】
デジタル符号化されたＡＶ信号入力時に、入力データのデコードを行って同期情報を抜き出し、デコードと同時にオーディオデコードデータの再エンコードを行い、前記抜き出した同期情報を付与することにより、再エンコードデータを作成することを特徴とするデータ作成方法。
【請求項２】
デジタル符号化されたＡＶ信号入力時に、入力データのデコードを行って符号化情報及び同期情報を抜き出し、デコードと同時に前記抜き出した符号化情報と同じまたは少ないビット量でオーディオデコードデータの再エンコードを行い、前記抜き出した同期情報を付与することにより、再エンコードデータを作成することを特徴とするデータ作成方法。
【請求項３】
デジタル符号化されたＡＶ信号入力時に、入力データのデコードを行って符号化情報及び同期情報を抜き出すと同時に、デコードのバッファモデル情報を取得し、前記抜き出したバッファモデル内で前記抜き出した符号化情報と同じまたは少ないビット量でオーディオデコードデータの再エンコードを行い、前記抜き出した同期情報を付与することにより、再エンコードデータを作成することを特徴とするデータ作成方法。
【請求項４】
入力データのデコードを行って符号化情報及び同期情報を抜き出し、オーディオデコードと同時に前記抜き出した符号化情報より同じもしくは低いビットレートで符号化した再エンコードを行うことを特徴とする請求項２または請求項３記載のデータ作成方法。
【請求項５】
入力データのデコードを行って符号化情報及び同期情報を抜き出し、オーディオデコードと同時に前記抜き出した符号化情報と同じもしくは少ないオーディオチャンネル数で符号化した再エンコードを行うことを特徴とする請求項２または請求項３記載のデータ作成方法。
【請求項６】
入力データのデコードを行って符号化情報及び同期情報を抜き出し、オーディオデコードと同時に前記抜き出した符号化情報と同じもしくは少ないオーディオチャンネル数でかつ各オーディオチェンネル信号を合成することにより新たな音響効果を加えて再エンコードを行うことを特徴とする請求項２または請求項３記載のデータ作成方法。
【請求項７】
デジタル符号化されたＡＶ信号入力時に、入力信号をそのまま記録した元データと、請求項１、請求項２、または請求項３によるデータ記録を行った再エンコードデータの両方を参照し、前記元データの一部と、前記再エンコードデータ及び各々の同期情報を用いてシステムエンコードを実施することにより、デジタル符号化データを生成することを特徴とするデータ作成方法。
【請求項８】
デジタル符号化されたＡＶ信号入力時に、入力信号をそのまま記録した元データと、請求項２または、請求項３によるデータ記録を行った再エンコードデータの両方を参照し、前記元データの一部と、前記再エンコードデータ及び各々の同期情報、及び符号化情報を用いてシステムエンコードを実施することにより、デジタル符号化データを生成することを特徴とするデータ作成方法。
【請求項９】
デジタル符号化されたＡＶ信号入力時に、入力信号をそのまま記録した元データと、請求項３によるデータ記録を行った再エンコードデータの両方を参照し、前記元データの一部と、前記再エンコードデータ及び各々の同期情報、符号化情報、及びバッファモデル情報を用いてシステムエンコードを実施することにより、デジタル符号化データを生成することを特徴とするデータ作成方法。
【請求項１０】
デジタル符号化されたＡＶ入力信号をデコードすることなく記録した一次記録Ａのファイルと、請求項１、請求項２、または請求項３により生成されたデジタル符号化データを記録した一次記録Ｂのファイルを単一のファイルとして保存することを特徴としたデータ作成方法。
【請求項１１】
デジタル符号化されたＡＶ入力信号をデコードすることなく記録した一次記録Ａのファイルと、請求項１、請求項２、または請求項３により生成されたデジタル符号化データを記録した一次記録Ｂのファイルと、各々のファイルを関連づける関連情報により別々のファイルとして保存することを特徴としたデータ作成方法。
【請求項１２】
利用者からの入力等による出力情報設定により、請求項７、請求項８、または請求項９により生成されたデジタル符号化データを、直接二次記録媒体に記録する形式に変換して記録することを特徴とするデータ記録方法。
【請求項１３】
利用者からの入力等による出力情報設定により、請求項７、請求項８、または請求項９により生成されたデジタル符号化データを、接続された外部機器インタフェースの仕様に変換して出力することを特徴とするデータ出力方法。
【請求項１４】
デジタル符号化されたＡＶ信号を入力する入力部と、入力データをデコードすることなく記録する一次記録Ａ部と、入力データのデコードを実行するデコード部と、前記デコード部により符号化情報及び同期情報を抜き出して格納するデコード情報格納部と、前記デコード部によりデコードされたデコードデータの再エンコードを行うエンコード部と、前記エンコード部で作成したエンコードデータを記録する一次記録Ｂ部と、前記エンコード部でエンコード時に作成した符号化情報及び同期情報を格納するエンコード情報格納部と、前記一次記録Ａ部と少なくとも一つの一次記録Ｂ部、及び前記エンコード情報格納部の情報によりシステムエンコードを実施するシステムエンコード部と、前記システムエンコード部により作成されたデジタル符号化ＡＶ信号を記録する二次記録部とから構成し、前記システムエンコード部が、前記エンコード情報格納部に格納された符号化情報及び同期情報をもちいて一次記録Ａ部の内容の一部を一次記録Ｂ部の内容と入れ替えてシステムエンコードを行うことを特徴とするデータ記録装置。
【請求項１５】
デジタル符号化されたＡＶ信号を入力する入力部と、入力データをデコードすることなく記録する一次記録Ａ部と、入力データのデコードを実行するデコード部と、前記デコード部により符号化情報及び同期情報を抜き出して格納するデコード情報格納部と、前記デコード部によりデコードされたデコードデータの再エンコードを行うエンコード部と、前記エンコード部で作成したエンコードデータを記録する一次記録Ｂ部と、前記エンコード部でエンコード時に作成した符号化情報及び同期情報を格納するエンコード情報格納部と、前記一次記録Ａ部と少なくとも一つの一次記録Ｂ部、及び前記エンコード情報格納部の情報によりシステムエンコードを実施するシステムエンコード部と、前記システムエンコード部により作成されたデジタル符号化ＡＶ信号を外部接続機器に出力する別機器出力部とから構成し、前記システムエンコード部が、前記エンコード情報格納部に格納された符号化情報及び同期情報をもちいて一次記録Ａ部の内容の一部を一次記録Ｂ部の内容と入れ替えてシステムエンコードを行うことを特徴とするデータ出力装置。
【発明の詳細な説明】
【０００１】
【発明の属する技術分野】
本発明は、デジタル符号化されたオーディオ・ビデオデータを一旦デコードしたあとで、本機器以外の外部機器で扱うことができるデジタル符号化方式に変換し、再エンコード記録を実行するためのデータ作成方法及び作成されたデータを記録するデータ記録装置に関する。
【０００２】
【従来の技術】
近年、ＣＤや、ＤＶＤ、ハードディスク等の各種記録媒体にデジタル圧縮されて記録されたＡＶ信号を読み取り、伸張した信号を、装置に接続された映像モニタや音響スピーカ等を通じて再生するＡＶ再生装置が広く普及してきている。
【０００３】
デジタル圧縮符号化されたＡＶ信号のデータをそれぞれ伸張してオーディオ成分信号とビデオ成分信号とを再生するＡＶ再生装置において、デジタル圧縮に際しての既知な規格としては、ＭＰＥＧ（Ｍｏｔｉｏｎ  Ｐｉｃｔｕｒｅ    Ｅｘｐｅｒｔｓ  Ｇｒｏｕｐ）が知られている。ＭＰＥＧでは多重化されて圧縮符号化されたＡＶ信号のデータをデコードしたあとで、同期して再生を実行するため、符号時にＡＶ信号におけるオーディオ成分信号とビデオ成分信号とのそれぞれに再生及び表示を実行する時刻情報が付加されて圧縮される。これにより、伸張時には装置が有するシステム時刻基準参照値に対し、これらの時刻情報を参照してオーディオ成分信号とビデオ成分信号との同期を合わせながら再生を実行している。
【０００４】
さらに、再生装置だけでなく、入力されたＡＶ信号のデジタル符号化を実施し、エンコード機能を有する記録装置も普及してきた。以下、従来のエンコードデータを作成するデータ作成方法について説明する。なお、出願人は、特許文献１に開示されているデータ作成方法を認識しており、本発明の課題を明確にするために、先行技術の内容を従来例として、簡単に説明する。
【０００５】
従来例では、すでにエンコードされたデジタルビットストリームを他のセクションまたはエンコードされたビデオに置き換える方法及びシステムについて説明している。除去されるビデオの代わりに挿入されるエンコードのために、変更区間の各ピクチャーで消費されたビット数、各ピクチャーのシーケンスヘッダーのビット数、各ピクチャーグループ（ＧＯＰ）ヘッダーのビット数、及び全スタッフビットを加算し計算される。そしてエンコードされたデータで置き換える工程が実施される。
【０００６】
【特許文献１】
特表平１１−５００５９２号公報
【０００７】
【発明が解決しようとする課題】
しかしながら、上述した特許文献１に開示されている方法では、指定された部分のビデオデータを同じ符号化方式によって交換する方法が記述されているが、オーディオデータを交換する方法が説明されていない。特にオーディオデータにおいては、符号化方式がデジタル放送ではＡＡＣ方式とＤＶＤプレーヤ等ではドルビー方式等で異なるので、デジタル放送を受信記録したオーディオデータを、ＤＶＤプレーヤ等で再生可能なオーディオ方式で再生するためには、オーディオの符号化方式を変換して記録しておくことが必要であった。しかしながら従来の方法をそのままオーディオ側に採用したとしても、符号化処理の相違により、そのまま適用できないという課題があった。
【０００８】
本発明は、以上のような問題点を解消するためになされたもので、外部から入力されたデジタル符号化オーディオデータを一旦デコードしたあとで、本機器以外の外部機器で扱うことができるデジタル符号化方式に変換し、再エンコード記録を実行するためのデータ作成方法またはデータ記録装置を提供することができるものである。
【０００９】
【課題を解決するための手段】
第１の本発明（請求項１に対応）によるデータ作成方法は、デジタル符号化されたＡＶ信号入力時に、入力データのデコードを行って同期情報を抜き出し、デコードと同時にオーディオデコードデータの再エンコードを行い、前記抜き出した同期情報を付与することにより、再エンコードデータを作成することを特徴とするもので、元々の入力データによるＡＶの同期再生と同様に、後でビデオデータと再エンコードしたオーディオデータという組でも同期再生が可能であるという作用を有する。
【００１０】
第２の本発明（請求項２に対応）によるデータ作成方法は、デジタル符号化されたＡＶ信号入力時に、入力データのデコードを行って符号化情報及び同期情報を抜き出し、デコードと同時に前記抜き出した符号化情報と同じまたは少ないビット量でオーディオデコードデータの再エンコードを行い、前記抜き出した同期情報を付与することにより、再エンコードデータを作成することを特徴とするもので、後でビデオデータと再エンコードしたオーディオデータという組で同期再生を行うための再エンコードオーディオデータ量が、元のオーディオデータ量以下であるため、再エンコードオーディオデータ記録容量を抑制できるという作用を有する。
【００１１】
第３の本発明（請求項３に対応）によるデータ作成方法は、デジタル符号化されたＡＶ信号入力時に、入力データのデコードを行って符号化情報及び同期情報を抜き出すと同時に、デコードのバッファモデル情報を取得し、前記抜き出したバッファモデル内で前記抜き出した符号化情報と同じまたは少ないビット量でオーディオデコードデータの再エンコードを行い、前記抜き出した同期情報を付与することにより、再エンコードデータを作成することを特徴とするもので、後でビデオデータと再エンコードしたオーディオデータという組で同期再生を行うときに、元のバッファモデル情報を参照してエンコードするので、バッファモデルが破綻しないエンコードできるという作用を有する。
【００１２】
第４の本発明（請求項４に対応）によるデータ作成方法は、入力データのデコードを行って符号化情報及び同期情報を抜き出し、オーディオデコードと同時に前記抜き出した符号化情報より同じもしくは低いビットレートで符号化した再エンコードを行うことを特徴とするもので、元オーディオデータに対して同等または低いビットレートで符号化し再エンコードするため、記録媒体の記録容量を押さえた記録、もしくは低速な伝送帯域での出力への対応を可能とする。
【００１３】
第５の本発明（請求項５に対応）によるデータ作成方法は、入力データのデコードを行って符号化情報及び同期情報を抜き出し、オーディオデコードと同時に前記抜き出した符号化情報と同じもしくは少ないオーディオチャンネル数で符号化した再エンコードを行うことを特徴とするもので、再エンコード符号化方法や、再生機器の制限等でオーディオチャンネル数を制限して再エンコードするため、例えば総チャンネル数を減らしても、１チャンネルあたりのビットレートを上げて記録できるという作用を有する。
【００１４】
第６の本発明（請求項６に対応）によるデータ作成方法は、入力データのデコードを行って符号化情報及び同期情報を抜き出し、オーディオデコードと同時に前記抜き出した符号化情報と同じもしくは少ないオーディオチャンネル数でかつ各オーディオチェンネル信号を合成することにより新たな音響効果を加えて再エンコードを行うことを特徴とするもので、再エンコード時に特殊な音響効果をいれられるため、低域をアップするような処理や、サラウンド効果を増加させて記録できるという作用を有する。
【００１５】
第７の本発明（請求項７に対応）によるデータ作成方法は、デジタル符号化されたＡＶ信号入力時に、入力信号をそのまま記録した元データと、請求項１、請求項２、または請求項３によるデータ記録を行った再エンコードデータの両方を参照し、前記元データの一部と、前記再エンコードデータ及び各々の同期情報を用いてシステムエンコードを実施することにより、デジタル符号化データを生成することを特徴とするもので、元のオーディオデータと再エンコードしたオーディオデータを入れ替えても、ビデオデータと再エンコードしたオーディオデータを用いた同期再生が可能であるという作用を有する。
【００１６】
第８の本発明（請求項８に対応）によるデータ作成方法は、デジタル符号化されたＡＶ信号入力時に、入力信号をそのまま記録した元データと、請求項２または、請求項３によるデータ記録を行った再エンコードデータの両方を参照し、前記元データの一部と、前記再エンコードデータ及び各々の同期情報、及び符号化情報を用いてシステムエンコードを実施することにより、デジタル符号化データを生成することを特徴とするもので、再エンコードしたオーディオデータ量が、元のオーディオデータ量と同等またはそれ以下であるため、元オーディオデータと入れ替えた後でも記録媒体への記録容量が増加しないという作用を有する。
【００１７】
第９の本発明（請求項９に対応）によるデータ作成方法は、デジタル符号化されたＡＶ信号入力時に、入力信号をそのまま記録した元データと、請求項３によるデータ記録を行った再エンコードデータの両方を参照し、前記元データの一部と、前記再エンコードデータ及び各々の同期情報、符号化情報、及びバッファモデル情報を用いてシステムエンコードを実施することにより、デジタル符号化データを生成することを特徴とするもので、再エンコードしたオーディオデータとビデオデータをあわせてデコードしたときにおいても、オーバーフローやアンダーフローが発生しないようにシステムエンコードを実施したものを生成
できるという作用を有する。
【００１８】
第１０の本発明（請求項１０に対応）によるデータ作成方法は、デジタル符号化されたＡＶ入力信号をデコードすることなく記録した一次記録Ａのファイルと、請求項１、請求項２、または請求項３により生成されたデジタル符号化データを記録した一次記録Ｂのファイルを単一のファイルとして保存することを特徴とするもので、同期情報を一にするＡＶストリームデータを一括管理できるという作用を有する。
【００１９】
第１１の本発明（請求項１１に対応）によるデータ作成方法は、デジタル符号化されたＡＶ入力信号をデコードすることなく記録した一次記録Ａのファイルと、請求項１、請求項２、または請求項３により生成されたデジタル符号化データを記録した一次記録Ｂのファイルと、各々のファイルを関連づける関連情報により別々のファイルとして保存することを特徴とするもので、一次記録Ａのオリジナル情報ファイルと入力後に作成したファイルを、別々の記録媒体に保存しても関連づけて再生できるという作用を有する。
【００２０】
第１２の本発明（請求項１２に対応）によるデータ記録方法は、利用者からの入力等による出力情報設定により、請求項７、請求項８、または請求項９により生成されたデジタル符号化データを、直接二次記録媒体に記録する形式に変換して記録することを特徴とするもので、二次記録媒体への高速記録が可能であれば、再生に比べ短時間での記録を可能とするという作用を有する。
【００２１】
第１３の本発明（請求項１３に対応）によるデータ出力方法は、利用者からの入力等による出力情報設定により、請求項７、請求項８、または請求項９により生成されたデジタル符号化データを、接続された外部機器インタフェースの仕様に変換して出力することを特徴とするもので、伝送帯域と品質に応じた出力を可能とし、相手機器側での再生もしくは記録を保証できるという作用を有する。
【００２２】
第１４の本発明（請求項１４に対応）によるデータ記録装置は、デジタル符号化されたＡＶ信号を入力する入力部と、入力データをデコードすることなく記録する一次記録Ａ部と、入力データのデコードを実行するデコード部と、前記デコード部により符号化情報及び同期情報を抜き出して格納するデコード情報格納部と、前記デコード部によりデコードされたデコードデータの再エンコードを行うエンコード部と、前記エンコード部で作成したエンコードデータを記録する一次記録Ｂ部と、前記エンコード部でエンコード時に作成した符号化情報及び同期情報を格納するエンコード情報格納部と、前記一次記録Ａ部と少なくとも一つの一次記録Ｂ部、及び前記エンコード情報格納部の情報によりシステムエンコードを実施するシステムエンコード部と、前記システムエンコード部により作成されたデジタル符号化ＡＶ信号を記録する二次記録部とから構成し、前記システムエンコード部が、前記エンコード情報格納部に格納された符号化情報及び同期情報をもちいて一次記録Ａ部の内容の一部を一次記録Ｂ部の内容と入れ替えてシステムエンコードを行うことを特徴とするもので、ビデオデータは再エンコードすることなく元データのままで、オーディオデータのみを再エンコードデータを入れ替えることによりシステムエンコードを、各同期情報を用いて高速変換でき、二次記録部へ高速記録を実行できるという作用を有する。
【００２３】
第１５の本発明（請求項１５に対応）によるデータ出力装置は、デジタル符号化されたＡＶ信号を入力する入力部と、入力データをデコードすることなく記録する一次記録Ａ部と、入力データのデコードを実行するデコード部と、前記デコード部により符号化情報及び同期情報を抜き出して格納するデコード情報格納部と、前記デコード部によりデコードされたデコードデータの再エンコードを行うエンコード部と、前記エンコード部で作成したエンコードデータを記録する一次記録Ｂ部と、前記エンコード部でエンコード時に作成した符号化情報及び同期情報を格納するエンコード情報格納部と、前記一次記録Ａ部と少なくとも一つの一次記録Ｂ部、及び前記エンコード情報格納部の情報によりシステムエンコードを実施するシステムエンコード部と、前記システムエンコード部により作成されたデジタル符号化ＡＶ信号を外部接続機器に出力する別機器出力部とから構成し、前記システムエンコード部が、前記エンコード情報格納部に格納された符号化情報及び同期情報をもちいて一次記録Ａ部の内容の一部を一次記録Ｂ部の内容と入れ替えてシステムエンコードを行うことを特徴とするもので、ビデオデータは再エンコードすることなく元データのままで、オーディオデータのみを再エンコードデータを入れ替えることによりシステムエンコードを、各同期情報を用いて高速変換でき、外部出力機器へ高速転送を実行できるという作用を有する。
【００２４】
【発明の実施の形態】
以下に、本発明にかかる実施の形態について、図面を参照しつつ説明を行う。
【００２５】
（実施の形態１）
はじめに、本発明の実施の形態１によるデータ記録装置の構成を示すブロック図である図１と図２を主として参照しながら、本実施の形態のデータ作成方法について説明する。
【００２６】
まず、図１、図３、図５のブロック図及び、図４、図６の流れ図を用いて、入力データから一次記録データを作成するところまでを説明する。
【００２７】
デジタル圧縮符号化されたオーディオ・ビデオデータを格納するＤＶＨＳレコーダや光ディスク等のデータ記録装置や、ＢＳデジタル放送等の受信機からデータを読み出す入力部１と、入力部１から入力されたデータを記録する一次記録Ａ部７と、多重化されて記録されているオーディオ・ビデオデータを分離し、ビデオ再生時刻情報とオーディオ再生時刻情報等を抽出し、再生時刻情報に従って伸張処理を行うデコード部２と、デコード部２によって抽出された再生時刻情報等のデコード情報を格納するデコード情報格納部３と、デコード部２でデコードされたオーディオデータと、デコード情報格納部３に格納された同期情報をもとにオーディオエンコードを実行するエンコード部４と、エンコード部４により作成された符号化オーディオデータを格納する一次記録Ｂ部５と、エンコード部４により作成された符号化オーディオデータの同期情報等を格納するエンコード情報格納部６から構成される。
【００２８】
図３は、デコード部２の詳細を示したブロック図であり、多重化されて記録されているオーディオ・ビデオデータを分離し、ビデオ再生時刻情報とオーディオ再生時刻情報を抽出するシステムデコード部２１と、システムデコード部２１によって分離された圧縮ビデオデータをビデオ再生時刻情報に従って伸張処理を行うビデオデコード部２２と、システムデコード部２１によって分離された圧縮オーディオデータをオーディオ再生時刻情報に従って伸張処理を行うオーディオデコード部２３から構成される。
【００２９】
ビデオ処理は、システムデコーダ部２１内のパーサ部２１１によって分離されたビデオデータを格納する圧縮ビデオバッファ部２１２と、圧縮ビデオバッファ部２１２に格納されたビデオ信号とビデオ再生時刻情報を関連づけるテーブルを有するビデオ再生時刻情報管理部２１３と、圧縮ビデオデータの属性情報（ビデオヘッダ情報）の解析、及び伸張を実行するビデオデコーダ部２２と、伸張したビデオデータを格納するフレームバッファ部２２１と、フレームバッファ部２２１から外部にビデオ信号を出力するビデオ出力部２２２から構成される。
【００３０】
オーディオ処理は、システムデコード部２１内のパーサ部２１１によって分離されたオーディオデータを格納する圧縮オーディオバッファ部２１４と、圧縮オーディオバッファ部２１４に格納されたオーディオ信号とオーディオ再生時刻情報を関連づけるテーブルを有するオーディオ再生時刻情報管理部２１５と、圧縮オーディオデータの属性情報（オーディオヘッダ情報）の解析、及び伸張を実行するオーディオデコーダ部２３と、伸張したオーディオデータを格納するＰＣＭバッファ部２３１と、ＰＣＭバッファ部２３１内のオーディオデータを外部に出力するオーディオ出力部２３２から構成される。
【００３１】
オーディオ再生時刻情報管理部２１５には、オーディオデコード部２３により、該当するオーディオデータが再生されるまでの時刻情報が保管される。該当時刻に対応するオーディオデータが再生されれば、そのテーブル値は不要となり、パーサ部２１１から次の入力データ登録される形で、テーブルが更新される。
【００３２】
ＭＰＥＧでの同期を実現するために、ビデオとオーディオの各アクセスユニットと呼ばれる復号再生の単位ごと（ビデオは１フレーム、オーディオは１オーディオフレーム）に、いつ復号再生すべきかというタイムスタンプ情報が付加されている。このタイムスタンプ値は、ＰＴＳ（Ｐｒｅｓｅｎｔａｔｉｏｎ  Ｔｉｍｅ  Ｓｔａｍｐ）と呼ばれ、ビデオ用は、Ｖｉｄｅｏ    ＰＴＳ  （ＶＰＴＳと略）、オーディオ用は、  ＡｕｄｉｏＰＴＳ  （ＡＰＴＳと略）の再生出力の時刻管理情報を表している。
【００３３】
再生装置内の標準のシステム基準参照部２４では、ＭＰＥＧシステムの基準復号器内部のＳＴＣ（Ｓｙｓｔｅｍ  Ｔｉｍｅ  Ｃｌｏｃｋ）  を発生する。装置側でＳＴＣを作成するためには、ＤＶＤディスク等で使用されるプログラムストリーム（ＰＳ）で用いるＳＣＲ（Ｓｙｓｔｅｍ  Ｃｌｏｃｋ    Ｒｅｆｅｒｅｎｃｅ：システム時刻基準参照値）、またはＢＳデジタル放送で使用されるトランスポートストリーム（ＴＳ）で用いるＰＣＲ（Ｐｒｏｇｒａｍ  Ｃｌｏｃｋ    Ｒｅｆｅｒｅｎｃｅ：プログラム時刻基準参照値）の値を用いる。その最終バイトの到着時（読み込み時）に、ＳＣＲまたはＰＣＲの示す値をＳＴＣに設定することによって、基準時刻を設定することができる。さらに、このＳＴＣの値の設定と、ＰＬＬ（位相ロックループ）回路を組み合わせることにより、デコーダ側の基準時刻用システムクロックと完全に周波数が一致したＳＴＣをもつことができる。このＳＴＣのシステムクロックは２７メガヘルツで構成される。このＳＴＣからカウンタ等により分周することにより、各ＰＴＳ（９０キロヘルツ周期）が参照される。各デコーダは、ＳＴＣが、ビデオはＶＰＴＳ、オーディオはＡＰＴＳが一致したときに、そのアクセスユニットを再生出力する。ＰＴＳの精度は、９０キロヘルツである。従って、この９０キロヘルツの精度の範囲内で、ＳＴＣとＶＰＴＳ、ＡＰＴＳの同期をとれるように、各々のデコードを実施すれば、ＡＶ同期のとれた出力がなされるものである。
【００３４】
図４は、本発明によるＡＶ同期処理の流れ図である。ステップＡ３０１及びＡ３０２において、システムデコード部２１は、データ記録装置等から入力された符号化データを、圧縮ビデオデータと圧縮オーディオデータに分離する。圧縮ビデオデータは、圧縮ビデオバッファ部２１２に、圧縮オーディオデータは、圧縮オーディオバッファ部２１４に格納される。またビデオフレームについているビデオ再生時刻情報ＶＰＴＳを抜き出し、圧縮ビデオバッファ部２１２への参照アドレスと共に、ビデオ再生時刻管理部２１３に格納される。
【００３５】
一方、圧縮オーディオデータは、オーディオフレームについているオーディオ再生時刻情報ＡＰＴＳを抜き出し、図５に示すように、例えばＡＰＴＳごとにスロットという単位で分割し、圧縮オーディオバッファ部２１４への参照アドレスと共に、オーディオ再生時刻管理部２１５に格納される。また、ＡＰＴＳエントリ数は、このテーブルで管理している時刻情報の管理数を示す。
【００３６】
ステップＡ３０３で、ＶＰＴＳがシステム時刻基準（ＳＴＣ）に達するまえに、ビデオデコードを実施しフレームバッファ部２２１に格納する。同じようにステップＡ３０４で、ＡＰＴＳがＳＴＣに達するまえに、オーディオデコードを実施し、ＰＣＭバッファ部２３１に格納する。各々デコードは実施するが、デコード後直ちに出力するわけではない。ステップＡ３０５で、ＳＴＣを参照し、ＶＰＴＳが一致もしくは超過した時点で、該ＶＰＴＳに関連するビデオデコードデータを、フレームバッファ部２２１から、ビデオ出力部２２２を介して出力する。
【００３７】
次にステップＡ３０６で、ＳＴＣを参照し、ＡＰＴＳが一致もしくは超過した時点で、該ＡＰＴＳに関連するオーディオデコードデータを、ＰＣＭバッファ部２３１から、オーディオ出力部２３２を介して出力する。
【００３８】
なお、装置によっては、光出力端子からドルビーデジタル等のストリームのままで出力する場合もある。このような場合、ストリームバッファ（図示せず）に一旦蓄えて、ＳＴＣを参照し、ＡＰＴＳが一致もしくは超過した時点で、オーディオ出力部２３２から出力する。
【００３９】
入力されるデータの終了もしくは、ユーザによる再生の停止が指示されれば、ステップＡ３０７でデコードを終了する。
【００４０】
ＳＴＣに対して、ＶＰＴＳ及びＡＰＴＳを同期させるよう、ビデオデコード及びオーディオデコードを実施する。特に、ＡＰＴＳにＶＰＴＳが、５０ミリ秒先行から、３０ミリ秒遅延までの間にあわせれば、リップシンクのずれは気にならない程度となる。
【００４１】
入力されたデータをデコードする動作について説明してきたが、デコードされたデータを入力として、そのデータをエンコードし直す（以下再エンコードと称す）処理について、図１のブロック図と、図６の流れ図を参照しながら説明する。
【００４２】
デジタル符号化されたＡＶ信号の記録用の入力が開始される（ステップＡ１０１）。ここで、入力されたＡＶ信号の符号化方式を変更する必要がなければ、再エンコードの系を起動する必要はない。着脱可能な記録媒体もしくは外部出力の再生に適した符号化方式への変換が必要であれば、符号化方式を変換（以下ｃｏｄｅｃ変換と略す）する。ステップＡ１０２で、ｃｏｄｅｃ変換が必要かどうかを判断し、不要であれば、一次記録Ａ部７に入力データをデコードすることなく記録する。ｃｏｄｅｃ変換が必要であれば、先に説明したデコード動作を開始する。
【００４３】
デコード実施時において、デコード部により符号化情報及び同期情報を抜き出して（ステップＡ１０４、ステップＡ１０５）、デコード情報格納部３に記録する。ｃｏｄｅｃ変換時においても、入力データは一次記録Ａ部７へ記録される。記録終了時には、デコード情報格納部３へ記録された各情報の一部もしくは全部が、入力データとともに一次記録Ａ部７へ記録するように構成しておくと、記録終了後に再エンコードや編集を加えるときに、同期情報や時刻情報があるので都合がよい。デコード情報格納部３は、例えば図８のように構成される。３１は符号化情報を格納するｃｏｄｅｃ情報部である。３２は同期時刻情報部である。また３３は後で説明するバッファモデル情報格納部である。
【００４４】
ステップＡ１０６で、ｃｏｄｅｃ変換をするために、デコード部２によりデコードされた、例えばオーディオデコードデータの再エンコードを行うエンコード部５により、オーディオエンコードが実施される。エンコードを実施するためには、デコード情報格納部３に格納された符号化情報を参照する。
【００４５】
デコード情報格納部３のｃｏｄｅｃ情報部３１には、例えば、符号化情報（オーディオ）には、ＭＰＥＧ−２  ＡＡＣ（Ａｄｖａｎｃｅｄ  Ａｕｄｉｏ  Ｃｏｄｉｎｇ）方式（以下ＡＡＣ方式と略す）や、ドルビーデジタル方式など符号化変換方式情報、チャンネル数、ビットレート、サンプリング周波数情報、量子化ビット数、などが該当する。
【００４６】
オーディオの再エンコードは、入力されたオーディオの符号化情報を参照しながら、符号化する符号化情報を決定する。ＡＡＣ方式からドルビーデジタル方式への変換や、チャンネル数が５．１チャンネルからステレオ２チャンネル形式への変換、３８４キロビット／秒から、２５６キロビット／秒への変換などである。入力された信号のサンプリング周波数から記録再生機器に適したサンプリング周波数の変更を行う場合もある。また符号化方式がリニアＰＣＭになる場合などでは、量子化ビット数が変更になる場合もある。デコーダ部２からエンコーダ部４へ入力されるときに、例えば入力音声が３２キロヘルツのサンプリング周波数から、記録用音声が４８キロヘルツへのサンプリング周波数に変換するときには、サンプリングレートコンバータなどの半導体素子や、デジタルフィルタによる演算処理、デジタルアナログ変換素子とアナログデジタル変換素子の組み合わせなどで、これらの変換を実現することができる。
【００４７】
図９にエンコード情報格納部６の構成を示す。ｃｏｄｅｃ情報部６１に再エンコードされた符号化情報を格納する。
【００４８】
次にステップＡ１０５で抜き出した同期情報を用い、再エンコードしたオーディオデータに同期情報を追加する。ステップＡ１０７で、もとの映像データと同期したオーディオデータに対する同期情報を用い、デコードから再エンコードへの遅延時間を考慮して、同じ映像に対する再エンコードデータが一致するように同期情報を追加する。エンコード情報格納部６の同期時刻情報部６２に同期情報が格納される。一旦デコードしたデータを例えば一旦メモリ上に待避し、待避データを再エンコードのために取り込むための半導体メモリなどが必要になる。しかしながら、この変換のための時間が３３ミリ秒（ＮＴＳＣ方式の画像更新周期）であるならば、デコードしたＰＣＭデータは、サンプリング周波数が４８キロヘルツ、量子化１６ビット、２チャンネルで換算すれば、約６４００バイトとなる。
【００４９】
ステップＡ１０８で、再エンコードしたオーディオ符号化データは、一次記録Ｂ部５に記録され、エンコード部４でエンコード時に作成した符号化情報及び同期情報は、エンコード情報格納部６に格納される。さらにエンコード情報格納部６の内容も一次記録Ｂ部５へ記録するように構成してもよい。あとで、符号化されたビデオデータと再エンコードされたオーディオデータとの同期再生のときに、同期情報が同じ一次記録Ｂ部５にあれば、データの保守管理がしやすい。
【００５０】
再エンコード時に、デジタル符号化されたＡＶ信号入力時に、入力データのデコードを行って符号化情報及び同期情報を抜き出し、オーディオデコードと同時に抜き出した符号化情報と同じまたは少ないビット量でオーディオデコードデータの再エンコードを行えば、抜き出した同期情報を付与することにより、再エンコードデータを作成すれば、再エンコードオーディオデータ量が、元のオーディオデータ量以下であるため、再エンコードオーディオデータ記録容量を抑制できる。例えば、ある記録媒体に記録された入力データから別の記録媒体への変換を施す場合に、記録容量の増減の見込みが立てられやすくなる。記録容量のより少ない記録媒体への記録が想定される場合には特に有効である。
【００５１】
また、外部記録媒体で、再生可能なビットレートとするために、入力データから抜き出した符号化情報と同じまたは少ないビット量とすることもある。例えば携帯型オーディオプレーヤでは、その再生機や記録媒体の形状やバッテリ容量などから記録容量と記録時間が制約される場合が多い。そのためにより圧縮符号化度を高める再エンコードを行って、ビットレートを下げて記録することもある。
【００５２】
また、再生機器の制限等でオーディオチャンネル数を低減して再エンコードする場合もある。オーディオデコードと同時に抜き出した符号化情報と同じもしくは少ないオーディオチャンネル数で符号化した再エンコードを行う。これは再生機側の再生仕様や機能により、５．１チャンネルサラウンド再生機能がない場合や、２ヶ国語放送を再生するためのデュアルモノラルといわれる方式で片方のチャンネル（例えば日本語／英語が記録され、日本語のみ再生など）のみの選択再生ができない場合は、デコード後、オーディオ信号処理を施し、チャンネル数を減らした上で予め再エンコード時を実施し、記録媒体Ｂ部６へ記録する。チャンネル数を減らすための信号処理としては、５．１チャンネルの各チャンネルからステレオ２チャンネルへの変更に対しＡＡＣ方式などでは、各々加算係数が規定されているので、各位相がずれないように加算すればよい。
【００５３】
地上波の現行のアナログ２カ国語放送では、左右の２チャンネルに別々の言語音声（英語と日本語など）がはいっているので、２カ国語放送から一方の言語音声のモノラル記録を行うときなどへのチャンネル数変換が発生することがある。また入力側のソースがデュアルモノラル音声であるときも、一方の音声のみのモノラルへの変換が発生する。例えば左音声（以下Ｌと略）と右音声（以下Ｒと略）から片方を選択し、選択された側のみのモノラル記録とすればよい。あるいは、片方のＬの選択音声を位相がずれないようにＲ側へデータ複写することでも実現できる。
【００５４】
この場合再エンコード時において、再生機器の制限等でオーディオチャンネル数を制限して再エンコードするが、記録側の記録容量が入力データと同一であれば、例えば総チャンネル数を減らしても、１チャンネルあたりのビットレートを上げて記録することもできる。例えば入力が５．１チャンネル（合計で２５６キロビット／秒で、再エンコード側が２チャンネル（合計２５６キロビット／秒）の場合には、１チャンネルあたりのビットレートを上げて記録できる。
【００５５】
さらに再エンコード時において、各オーディオチェンネル信号を合成することにより新たな音響効果を加えて再エンコードを行えば、低域の音量をアップするような処理や、サラウンド効果を増加させて記録できる。再生機器側が貧弱な音響装置しかない場合、映画の主役のセリフを強調すれば、背景音楽に消されそうなセリフ音声が聞きやすくなる。また逆にライブ音楽番組の記録等で反響された音楽を強調したい場合など、サラウンド効果用信号処理を施した後で再エンコードを実施すれば、擬似ステージ感覚を楽しめる。例えば、エコーのようなある一定の遅延素子と、遅延信号に特定のゲイン係数を掛けて加算する信号処理を施せば、反響音を作り出すことができる。
【００５６】
このように符号化方式を変更するときだけではなく、音響効果を加えた別のオーディオストリームを作り出すときにも本発明は有効である。さらに、元のビデオデータとの同期再生が可能であるため、元の入力オーディオストリームと再エンコードしたオーディオストリームによる再生オーディオストリームの途中切り替えも可能である。各々同じビデオストリームに対して同期が可能であるので、ビデオ出力を止めることなく、途中でオーディオ出力のみを入れ替えることができる。このように元のストリームに対し、再エンコードを実施したストリームを組にして記録媒体にすれば、再生機器の環境に応じて再生可能なオーディオストリームでの再生を可能とすることもできる。
【００５７】
なお、元データに対し、再エンコードしたオーディオデータ量が少ない場合には、必要に応じてＭＰＥＧの方式で定められているスタッフィングビットが追加される。
【００５８】
また、エンコード部４は、１つのみではなく、再エンコードしたい符号化方式の数等に応じられるよう、複数保有する形でもよい。再エンコード毎に、一次記録Ｂ部５の個数を増やすもしくは、別のファイルに記録し、またエンコード情報格納部６における各情報も別々にもてばよい。ハードウェア資源、もしくはソフトウェアによる演算量と及びデータ転送、記録速度と記録容量等が許す範囲内であれば個数に制限はない。
【００５９】
もちろん一次記録Ａ部７も複数あってよい。例えば、マルチアングルストリームなど、入力部１から同じ番組に対するマルチストリームが入った場合に、同一の一次記録Ｂ部５に対して、複数の一次記録Ａ部７が対応する場合が存在する。ただし、複数のマルチストリームにおいて、各々のビデオストリームに対して同一の識別番号を有するオーディオストリームが用いられている、もしくは異なる識別番号でありながら、同期情報は同じでかつ中身は全く同一のオーディオストリームである場合などの限定が必要になる。一次記録Ａ部７と一次記録Ｂ部５は、同期情報という共通情報で結びつけることができる。
【００６０】
さらに一次記録Ａ部７と一次記録Ｂ部５が複数ずつ存在するという場合もある。しかし共通の時刻情報を同期情報としてある限りは、どのような組み合わせでも同期再生が可能となる。また、１つのビデオストリームに対し、２種類以上のオーディオストリームがある場合がある。これに対しては、元のオーディオストリーム間で共通の時刻情報による管理がされていれば、複数のオーディオストリームをデコードし、各々の再エンコードしたオーディオストリームを作成しても同期再生が可能となる。
【００６１】
次に、図２のブロック図及び、図７の流れ図を用いて、一次記録データから二次記録データもしくは外部出力データを作成するところを説明する。
【００６２】
図２において、一次記録Ａ部７と一次記録Ｂ部５、及びエンコード情報格納部６は図１と同様のものである。加えて、エンコード情報格納部６の情報によりシステムエンコードを実施するシステムエンコード部１１と、システムエンコード部１１により作成されたデジタル符号化ＡＶ信号を記録する二次記録部１３、システムエンコード部１１により作成されたデジタル符号化ＡＶ信号を外部接続機器に出力する別機器出力部１４、及びシステムエンコードを二次記録部１３、あるいは別機器出力部１４の選択もしくは両方等を設定する出力先情報設定部１２とから構成する。
【００６３】
ステップＡ２０１で二次記録開始（もしくは外部接続機器出力開始）が選択される。ステップＡ２０２では一次記録Ａ部７から入力され記録された元データを読み出す。ステップＡ２０３で、二次記録部１３に記録する符号化方式が一次記録Ａ部７と同一でよいかを判断する。同一でよい場合は、読み出したデータをそのまま記録する。あとで説明する再エンコードされた一次記録Ｂ部５の情報を用いる必要はない。
【００６４】
一方、符号化方式の変更が必要な場合は、ステップＡ２０４で、システムエンコードに必要な情報をエンコード情報格納部６から読み出す。このエンコード情報格納部６には、ｃｏｄｅｃ情報部６１から符号化情報（オーディオ）である符号化方式（ＡＡＣ方式、ドルビーデジタル方式など）、チャンネル数、ビットレート、サンプリング周波数情報、量子化ビット数が、同期時刻情報部６２には同期情報、時刻情報などが、オーディオエンコード時に保存されている。一次記録Ａ部７の元映像ストリームのどのＶＰＴＳと、一次記録Ｂ部５の再エンコードオーディオストリームのＡＰＴＳとを読み出すことによって、ステップＡ２０５で、両一時記録部内のＡＶ同期づけられたシステムエンコードを実現することができる。
【００６５】
ビデオデータとの参照は、ＶＰＴＳとＡＰＴＳの関連づけを再優先とする。もともとＡＶ同期再生用にビデオストリームにはＶＰＴＳが、オーディオストリームにはＡＰＴＳが付与されている。そこで、オーディオ側のみを入れ替えるときには、ＶＰＴＳ側には何の操作も行わず、再エンコードしたオーディオデータに適したＡＰＴＳを付与することにより、ＡＶ同期再生を実現する。
【００６６】
つまり、システムエンコード部１１が、エンコード情報格納部６に格納された符号化情報及び同期情報をもちいて一次記録Ａ部７の元オーディオストリームを一次記録Ｂ部５の再エンコードオーディオストリームと入れ替えてシステムエンコードを行うものである。本発明では、再エンコード時において、ビデオストリームを再エンコードする必要がないため、ビデオエンコード用のバッファメモリや演算プロセッサ資源等は必要がない。またオーディオストリームも基本的に入れ替えを前提とすれば、元データより多くの記録容量を必要とせず、外部機器への伝送において多くの伝送帯域や速度を必要とすることはない。
【００６７】
出力先情報設定部１２の入力により、ステップＡ２０６で二次記録部１３へ出力するか否かを選択する。二次記録部１３への記録が選択されれば、ステップＡ２０７で、二次記録部１３への記録が、ステップＡ２０８で記録終了判定がなされるまで実行される。記録終了判定としては、記録するデータがなくなった場合、記録媒体への残り記録容量がなくなった場合、利用者指示による記録停止が指示された場合、記録媒体がなんらかの障害（例えば傷など）による記録の続行が不可能になった場合などである。一方、外部接続機器側への出力が選択された場合は、ステップＡ２０９により、別機器出力部１４から出力が、出力終了判定がなされるまで実行される。出力終了判定としては、出力するデータがなくなった場合、相手側機器側からによる出力停止指示の受信の場合、利用者指示による出力停止が指示された場合、出力インタフェースのなんらかの障害（例えば伝送経路の切断など）による出力の続行が不可能になった場合などである。
【００６８】
なお、出力先情報設定部１２の構成例として、例えば二次記録部１３が挿入され、記録可能容量があるときや、別機器出力部１４が相手先機器との接続を確認したときに自動判別する方式、利用者による選択ボタン設定や、ＧＵＩによるメニュー選択方式などがある。
【００６９】
よって、デジタル符号化されたＡＶ入力信号をそのまま記録した元データと、再エンコードデータの両方を参照し、元データの一部と、再エンコードデータ及び各々の同期情報、及び符号化情報を用いてシステムエンコードを実施することにより、出力用のデジタル符号化データを生成することを特徴とする。
【００７０】
デコード時においてビデオストリームとオーディオストリームを通常再生する場合のバッファモデル情報を、デコード情報格納部３のバッファモデル情報部３３に格納しておくような構成をとれば、下記のような効果が得られる。再エンコード時に、デコード時に作成したバッファモデル情報３３を参照したエンコードを行い、その結果としてエンコード情報格納部６内にバッファモデル情報部６３を作成する。すると、システムエンコード時において、オーディオデータとビデオデータをあわせてデコードしたときにおいても、オーバーフローやアンダーフローが発生しないように、ビデオストリームとオーディオストリームの分割を考慮したシステムエンコードが実施できる。もともと入力されたデータをデコードしたときにおいて、通常デコードが可能であるならば、デコード時のバッファモデル情報に従って、再エンコード用のバッファモデル情報を作成して残しておけば、システムエンコード時のバッファモデル管理が行いやすい。
【００７１】
特に、ビデオ符号化が、変化が激しい時に多くのビット量を割り当てる可変レート制御方式であれば、ビデオストリームとオーディオストリームの単位時間あたりのビット割付量は絶えず変化する。一方システムエンコードされたデータをデコード時において、ビデオとオーディオの一方のアンダーフローやオーバーフローを起こすことなく再生できるように、バッファモデル管理は重要である。そこで、再エンコード時に作成しておいたバッファモデル情報部６３を用いてシステムエンコード時に使用することにより、どの部分でビデオストリームのビット割当量が増加するか前もってわかるため、オーディオストリームを前もって記録しておくなどシステムエンコードの制御を可能とする。
【００７２】
一方ビデオ符号化が、毎回同じビット割付量である固定ビットレートであった場合は、単位時間あたりのビット割当量が変化しないため、バッファモデル管理はたやすいものとなる。最初にオーバーフローやアンダーフローが行い割り当てを行えば、記録が終了するまでシステムエンコーダによる割り当て変更の制御は必要がない。
【００７３】
そこで、デジタル符号化されたＡＶ入力信号をそのまま記録した元データと、再エンコードデータの両方を参照し、元データの一部と、再エンコードデータ及び各々の同期情報、符号化情報、及びバッファモデル情報を用いてシステムエンコードを実施することにより、出力用のデジタル符号化データを生成することを特徴とする。
【００７４】
元データの一部とは、これまで説明してきた再エンコードデータに取り変えられる部分のデータを指す。例えば、オーディオデータとそれに付随するオーディオ再生同期情報、符号化情報などである。
【００７５】
しかし、本発明は、オーディオの再エンコードについて説明してきたが、取り替えられるデータが、以下に説明するように、オーディオデータばかりとは限らない。記録媒体を再生する再生機側の都合により、出力設定に合わせたビデオ再エンコードについても、本発明と同様に実現できる。例えば、ビデオ出力のアスペクト比が１６：９から４：３への変換にともなう画像切り出し、２４コマ／秒の映画ソースから、３０コマ／秒のＴＶ放送の再生に即したビデオ信号への変換などは、同じようにビデオを再エンコードすることにより実現できる。つまり符号化方式は変わらなくとも、もとの映像再生情報を変更して記録したいときなどにも有効である。さらにオーディオストリームやビデオストリーム以外にも適用可能である。字幕情報などがはいったサブピクチャストリームのみの変更といった用途にも適用可能である。
【００７６】
また同じオーディオ入力ストリームに対し、２つ以上のビデオ入力ストリームがある場合がある。マルチアングルで撮影した映像をデジタル衛星放送やケーブル放送で放送している。このような場合、片方のストリームのデコード映像に対し、もう片方のストリームを再エンコードしたビデオデータに同期情報を付加し、同じ同期情報を有するものを重ね合わせてさらに１つの画面に合成して、同期情報を付加して記録すれば、同時に２画面の再生と１つのオーディオを同期して再生できる。またＮＴＳＣ方式だけでなく、ＰＡＬ方式への再エンコードなど、異なった再生方式への再エンコードも有効である。
【００７７】
一部の入れ替えについて説明してきたが、全部入れ替える場合においては、真映像も音声も全く再エンコードとなるため、デコード再生したＡＶ信号を再エンコードすることとなる。一次記録Ａ部７の元ＡＶ信号データに対し、一次記録Ｂ部５には、再エンコードされた独立なＡＶ信号データが作成されることとなり、二次記録部１３への記録は、再エンコードされた一次記録Ｂ部５のみが記録されるため、本発明の対象ではない。
【００７８】
これまでは、一次記録Ａ部７のファイルと、一次記録Ｂ部５のファイルを、各々のファイルを関連づける関連情報により別々のファイルとして保存する方法について説明してきた。
【００７９】
単に容量の増加に対応するといった目的の他に、一次記録Ａ部７を大容量のリムーバルディスクに、一次記録Ｂ部５はハードディスクにといった別の記録媒体に記録することによって、例えば入力部１から記録したデータをそのまま記録した一次記録Ａ部７については、単独で別の機器に装着して再生することができるが、一次記録Ｂ部５は、一次記録Ａ部７との組み合わせでのみ再生出力が有効とするような運用を図ることができる。関連情報さえあれば、複数の一次記録Ｂ部５を有する構成となる場合にファイルが、別れていてもよい。
【００８０】
一方、一次記録Ａ部７のファイルと、一次記録Ｂ部５のファイルを単一のファイルとして保存する構成も想定される。一方が着脱可能な形で外されてしまったときには、両者を参照したシステムエンコードはできない。両者のファイルを唯一的に管理したい要望が強い場合には、同一のファイルのなかに両者の符号化データ及び同期情報などの情報を格納しておけば、管理は行いやすいという利点がある。目的や用途に応じて、一時記録の構成はどちらもとりうるが、本発明のデータ作成方法によれはどちらの要望にも応えることができる。
【００８１】
さらに、利用者からの入力等による出力情報設定により、再エンコードされたデジタル符号化データを、直接二次記録媒体に記録する形式に変換して記録すること、または接続された外部機器インタフェースの仕様に変換して出力することが必要な場合がある。
【００８２】
二次記録部１３へ記録するためには、記録容量を鑑みながら、記録媒体のフォーマットやファイルシステムの作成、記録番組名や記録ファイルの識別子、番組の付属情報等をつけることがある。必要に応じて記録した内容のベリファイや、また残り記録容量をみながら記録の終了判定が必要である。なお残り記録容量がなくなれば、システムエンコードを続けることは不要である。
【００８３】
二次記録部１３に記録する場合は、ストリームの最初から順序よく記録することは大きな問題ではない。再エンコードができあがった部分から記録すればよい。二次記録部１３を再生するときに最初から再生できるようにさえ記録されていればよい。また記録速度も二次記録部１３の記録媒体に応じればよい。つまりシステムエンコードが高速であり、記録速度も通常再生に必要な再生速度の数倍以上が可能であれば、再生に比べて短時間で記録が終了する。
【００８４】
さらに利用者への便宜をはかるため、各種ナビゲーション情報も追加することが好ましい。番組の先頭へのポインタ情報、ある一定間隔でスキップするときなどの飛び先アドレス情報などがこれに該当する。二次記録部１３を例えばＤＶＤプレーヤと想定すると、ナビゲーション情報を追加して記録しておけば、通常市販のＤＶＤディスク再生と同様に、各番組別や、ある一定時間単位でのスキップ（順方向、逆方向など）が可能である。従って、システムエンコード時に、デコード情報格納部３やエンコード情報格納部６の、同期時刻情報などの情報を用いてこれらのナビゲーション情報を生成する。
【００８５】
一方、別機器への出力の場合は、インタフェース接続のコネクション処理や、プロトコル処理、相手機器側からの応答処理などが必要である。別機器出力部１４の相手機期側で入力と同時にデコード再生している場合は、ストリームの最初から順序よく途中でとぎれることなく一定の転送速度で出力することが必要である。つまり、伝送帯域と品質に応じた出力を可能とするため、相手機器側での再生もしくは記録を保証できるという作用を有する。もちろん別機器出力部１４の相手側に記録機器が接続されている場合、記録時に再生が必要でなければ、高速転送による短時間記録が可能となる。
【００８６】
一次記録Ａ部７や一次記録Ｂ部５については、ハードディスク等を想定して説明してきたが、半導体メモリや、ＣＤやＤＶＤ、Ｂｌｕ−Ｒａｙなどの光ディスク、デジタル信号記録テープ等の媒体をもちいてもよい。二次記録部１３は、着脱可能なテープやディスク、半導体メモリなどのメモリ単体及びメモリ機器などが該当する。
【００８７】
本発明では、入力時に、再エンコードデータを作成する方法について説明してきたが、再エンコードは入力時のみに限ることはない。予めデジタル符号化されたＡＶ信号が入力され、一次記録Ａ部７とデコード情報格納部３へ記録しておき、夜間など利用者が視聴しない時間などに、一旦デコード再生をして、デコード情報格納部３を参照しながら、再エンコードして一次記録Ｂ部５へ記録するデータを作成する構成でもよい。また、予めデジタル符号化されたＡＶ信号が入力され、一次記録Ａ部７へ記録しておき、夜間など利用者が視聴しない時間などに、一旦デコード再生をして、デコード情報格納部３を作成しながら、再エンコードして一次記録Ｂ部５へ記録するデータを作成する構成でもよい。入力から二次記録部１３への記録、もしくは別機器出力部１４からの出力までの期間に、再エンコードしたデータを作成し、元データとの一部の入れ替えによるシステムエンコードを容易に実現することをポイントとする。
【００８８】
なお、外部接続機器の機器ＩＤ等、相手側機器を特定する情報を認識することによって、再エンコードする情報を読みこんで、エンコード条件設定値を設定するような構成でもよい。例えば、相手側出力機器側の機器種別を知るＩＤ番号等を受け取り、本体内もしくは、エンコード条件設定用のメモリカード内のＩＤとエンコードパラメータの関係を納めたテーブルを参照し、設定を行うような構成をとれば、再生装置による設定を利用者の操作をともなわずとも実現することが可能である。これらの外部接続機器には、ＴＶなどのモニタ出力機器や、オーディオ出力アンプ、ＡＶセレクタ機能を有するＡＶアンプなどのインタフェース機器、携帯型出力機器、車載用ＡＶ再生機器などが想定される。
【００８９】
なお、入力データは、外部から入力されるデータとして説明してきたが、予め機器内に存在するデータであってもよい。また入力はシステムデコード部２１がＡＶ分離したあとについて説明してきた。しかし、あらかじめＡＶ分離されているファイルデータであってもよい。圧縮ビデオデータと関連する再生時刻情報、圧縮オーディオデータと再生時刻情報を入力として、オーディオデータの再エンコードを実施する形式でもよい。これは、ビデオカメラ等で撮影した信号をパーソナルコンピュータ上で編集した結果として、ＡＶ混合ファイルもしくは、ＡＶ独立のファイルどちらの場合でも、圧縮ビデオデータと関連する再生時刻情報、圧縮オーディオデータと再生時刻情報を互いに関連づけた同期をとって再生する場合すべてに適応されるものである。
【００９０】
また、デジタル圧縮符号化ストリームとして、オーディオが非圧縮であるリニアＰＣＭの場合もある。リニアＰＣＭの場合、非圧縮オーディオフレームであるから、伸張動作は不要であるが、ストリームに含まれる同期情報に従ってＡＶ同期再生は同じ方式を持って対応することができる。
【００９１】
この本発明のデータ作成方法及び、記録装置の適用例としては、ＤＶＤレコーダ、ハードディスクレコーダ、内部に記録装置を有するセットトップボックス、同じく記録装置を有するデジタル衛星放送受像機、パーソナルコンピュータなどがある。本発明のデータ作成方法によるＡＶデータ作成プログラムを作成しておくことにより、パーソナルコンピュータ等へ、外部からの動作プログラムをロードして実行動作させることができる。
【００９２】
【発明の効果】
以上説明したように、本発明では、デジタル符号化されたＡＶ信号入力時に、入力データのデコードを行って同期情報を抜き出し、オーディオデコードと同時にオーディオデコードデータの再エンコードを行い、前記抜き出した同期情報を付与することにより、再エンコードデータを作成することを特徴とするもので、後でビデオデータと再エンコードしたオーディオデータを用いた同期再生が可能であるとともに、同期情報を元に高速にシステムエンコードができるため、二次きろくへの高速な短時間記録を可能とするという効果がある。
【図面の簡単な説明】
【図１】本発明の実施例の一時記録を作成するまでの構成を示すブロック図
【図２】本発明の実施例の二次記録を作成するところの構成を示すブロック図
【図３】本発明の実施例のデコード部の構成を示す図
【図４】本発明の実施例のデコード方法を説明する流れ図
【図５】本発明の実施例のオーディオ再生時刻情報管理部の構成を示す図
【図６】本発明の実施例の一時記録を作成するまで方法を説明する流れ図
【図７】本発明の実施例の二次記録を作成するまでの方法を説明する流れ図
【図８】本発明の実施例のデコード情報格納部の構成を示す図
【図９】本発明の実施例のエンコード情報格納部の構成を示す図
【符号の説明】
１  入力部
２  デコード部
３  デコード情報格納部
４  エンコード部
５  一次記録Ｂ部
６  エンコード情報格納部
７  一次記録Ａ部
１１  システムエンコード部
１２  出力先情報設定部
１３  二次記録部
１４  別機器出力部
【図１】
2004280994.tif 000003
【図２】
2004280994.tif 000004
【図３】
2004280994.tif 000005
【図４】
2004280994.tif 000006
【図５】
2004280994.tif 000007
【図６】
2004280994.tif 000008
【図７】
2004280994.tif 000009
【図８】
2004280994.tif 000010
【図９】
2004280994.tif 000011